(57)【要約】【課題】  画像表示装置をコンパクト化し、また周辺機器やその他配線等との干渉をできるだけ無くす。【解決手段】  画像表示アッセンブリ３００は、スロットマシン１の上部パネル部４に形成された表示窓４０１に向けてその裏面側から取り付けられるようになっている。画像表示アッセンブリ３００は、前記液晶表示ユニット４８の左右両側に左右一対の取付補助部材３０１ａ、３０１ｂを取り付けたものである。取付補助部材３０１ａ、３０１ｂは、液晶表示ユニット４８の両側に装着され前記表示窓４０１の両辺にそれぞれ固定されることで当該液晶表示ユニット４８を前記上部パネル部４に取り付ける。これにより、画像表示アッセンブリ３００より構成される画像表示装置をコンパクト化し、また周辺機器やその他配線等との干渉をできるだけ無くすことができる。【選択図】  図４
2006263232.tif 000002
【特許請求の範囲】
【請求項１】
遊技機のフロントパネルに形成された表示窓に向けてその裏面側から取り付けられる画像表示アッセンブリであって、
平板状の画像表示モジュールを矩形枠体に収容して組み立てられる画像表示ユニットと、
前記画像表示ユニットの両側に装着され前記表示窓の両辺にそれぞれ固定されることで当該画像表示ユニットを前記フロントパネルに取り付ける一対の取付補助部材とを備えることを特徴とする画像表示アッセンブリ。
【請求項２】
前記画像表示ユニットの矩形枠体両側面には、それぞれ外方に延出する第1ブラケット部と、該第1ブラケット部から上下方向に所定距離だけ離間して外方に延出する第２ブラケット部とが設けられ、
前記取付補助部材には、前記画像表示ユニットの第1ブラケット部又は第２ブラケット部の何れか一方を掛止する断面Ｌ字形状の掛止部と、当該掛止部から上下方向に所定距離だけ離間して他方のブラケット部を固着する固着手段とが設けられていることを特徴とする請求項１に記載の画像表示アッセンブリ。
【請求項３】
前記取付補助部材の掛止部には、前記画像表示ユニットのブラケット部を掛止した後、当該ブラケット部を本体側に圧着して固定する圧着手段が設けられていることを特徴とする請求項２に記載の画像表示アッセンブリ。
【請求項４】
前記取付補助部材には、少なくとも前記画像表示ユニットを駆動するためのハーネスが配線されていることを特徴とする請求項１〜３の何れか１項に記載の画像表示アッセンブリ。
【発明の詳細な説明】
【技術分野】
【０００１】
本発明は、パチンコ機やスロットマシン等の遊技機において遊技の情報の報知や各種演出を行う画像表示アッセンブリに関する。
【背景技術】
【０００２】
従来、一般的に、スロットマシンやパチンコ機等の遊技機のフロントパネルには、動画像や効果音等により遊技者へ遊技の興味を引き起こす、臨場感を盛り上げる等の目的で画像表示装置が設けられている（例えば特許文献１参照）。
【０００３】
例えばスロットマシンは、フロントパネルの上部に設けた液晶表示ユニットを用いて、例えばアシストタイムの際にストップボタンの操作順を報知したり、内部抽選に当選した小役を報知することで間接的にストップボタンの操作タイミングを報知したり、またゲームの進行に応じてビックボーナス等の大当たりの際にアニメーション画像で遊技を盛り上げる等の演出を行っている。
【０００４】
図１２は、従来の液晶表示ユニットの取付構造を例示する斜視図である。同図によれば、液晶表示ユニット９０１は、画像の表示を行う液晶モジュール９０２とそれを支持する矩形の枠体９０３とから組み立てられ、枠体９０３の四隅に設けたブラケット９０４を介してフロントパネル９０５に形成した表示窓９０６に向けてネジ９０７により直接取り付けられる。
【０００５】
【特許文献１】特開２００３−２２０１７８号公報
【発明の開示】
【発明が解決しようとする課題】
【０００６】
ところで、最近では、ＣＧ（Computer Graphics）等の画像処理技術の発達や画像を表示するための回路の小型化により、遊技機の液晶表示ユニットにおいても高画素数の動画を表示可能になり、高精細でより現実感を惹起させるアニメーション画像を駆使した演出が遊技機業界において人気を博している。これにより遊技機業界では、遊技者の視覚に訴える演出をさらに高めるために、画像表示装置の画像の大型化が求められている。
【０００７】
しかしながら、従来の遊技機の上部パネル部のようにスピーカ等の周辺機器が多数配置される箇所に液晶表示ユニットを設ける場合、遊技機の定められた大きさと周辺機器との関係により液晶表示ユニットの大型化が制限されることや、配線が混み合い大型の液晶は取り付け作業に手間を要する等の問題があった。
【０００８】
本発明は、こうした従来の問題に鑑みてなされたものであり、画像表示装置をコンパクト化し、また周辺機器やその他配線等との干渉をできるだけ無くすことで、遊技機の筐体内への取り付けを容易にして大型画面に適した画像表示アッセンブリを提供することを目的としている。
【課題を解決するための手段】
【０００９】
上述した課題を解決するため、請求項１に記載の発明は、遊技機のフロントパネルに形成された表示窓に向けてその裏面側から取り付けられる画像表示アッセンブリであって、平板状の画像表示モジュールを矩形枠体に収容して組み立てられる画像表示ユニットと、前記画像表示ユニットの両側に装着され前記表示窓の両辺にそれぞれ固定されることで当該画像表示ユニットを前記フロントパネルに取り付ける一対の取付補助部材とを備えることを特徴とする。
【００１０】
請求項２に記載の発明は、請求項１に記載の画像表示アッセンブリであって、前記画像表示ユニットの矩形枠体両側面には、それぞれ外方に延出する第1ブラケット部と、該第1ブラケット部から上下方向に所定距離だけ離間して外方に延出する第２ブラケット部とが設けられ、前記取付補助部材には、前記画像表示ユニットの第1ブラケット部又は第２ブラケット部の何れか一方を掛止する断面Ｌ字形状の掛止部と、当該掛止部から上下方向に所定距離だけ離間して他方のブラケット部を固着する固着手段とが設けられていることを特徴とする。
【００１１】
請求項３に記載の発明は、請求項２に記載の画像表示アッセンブリであって、前記取付補助部材の掛止部には、前記画像表示ユニットのブラケット部を掛止した後、当該ブラケット部を本体側に圧着して固定する圧着手段が設けられていることを特徴とする。
【００１２】
請求項４に記載の発明は、請求項１〜３の何れか１項に記載の画像表示アッセンブリであって、前記取付補助部材には、少なくとも前記画像表示ユニットを駆動するためのハーネスが配線されていることを特徴とする。
【００１３】
請求項１に記載の画像表示アッセンブリによれば、前記フロントパネルにそれぞれ単体の部品の状態である一対の取付補助部材を固定してから、画像表示ユニットを一対の取付補助部材に固定して、画像表示アッセンブリを組み立てた状態にすることができるので、画像表示装置をコンパクト化し、また周辺機器やその他配線等との干渉をできるだけ無くすことができ、大型画面を採用した場合にも遊技機の筐体内への取り付けを容易に行える。
【００１４】
請求項２に記載の画像表示アッセンブリによれば、前記取付補助部材に設けられた断面Ｌ字形状の掛止部に、前記画像表示ユニットの第1ブラケット部又は第２ブラケット部の何れか一方を掛止することで、前記取付補助部材に前記画像表示ユニットを仮固定し、この後、前記取付補助部材に設けられた固着手段に他方のブラケット部を固着することができるので、取付補助部材に画像表示ユニットを固定する作業を容易に行える。
【００１５】
請求項３に記載の画像表示アッセンブリによれば、前記取付補助部材の掛止部に当該ブラケット部を本体側に圧着して固定する圧着手段を設けたので、取付補助部材に画像表示ユニットをより強固に安定して固定することができる。
【００１６】
請求項４に記載の画像表示アッセンブリによれば、前記取付補助部材に前記画像表示ユニットを駆動するためのハーネスが配線しているので、画像表示装置をさらにコンパクト化し、また周辺機器やその他配線等との干渉をさらに無くすことができる。
【発明の効果】
【００１７】
本発明の画像表示アッセンブリによれば、画像表示装置をコンパクト化し、また周辺機器やその他配線等との干渉をできるだけ無くすことで、遊技機の筐体内への取り付けを容易にして大型画面の採用を容易にすることができる。したがって、画面に表示される画像の画素数を増やす、画面に表示される画像の迫力を高める、画像を快適に視認出来るようにする等を行える。
【発明を実施するための最良の形態】
【００１８】
以下、本発明に係る遊技機の好適な一実施形態をスロットマシンを例に図面を参照して説明する。なお、図１は、スロットマシン１の外観構造を表した斜視図、図２は、前扉３を開放した状態におけるスロットマシン１の内部構造を表した図、図３は、スロットマシン１に設けられている制御システムについて説明する。
【００１９】
図１において、スロットマシン１は、前方に開口を有する矩形状の筐体２と、前記筐体２に対して回動可能に取り付けられることで前記開口を閉塞させる前扉３とを備えている。前記筐体２内の上段側にはリール装置としてのリールユニット１００が設置されている。リールユニット１００には、回転することで周面の図柄を変動表示させる円筒状のリール１０１ａ、１０１ｂ、１０１ｃが複数並設されている。
【００２０】
以下、スロットマシン１の構成要素について詳細に説明する。
【００２１】
前扉３の前面側は、フロントパネルとしての上部パネル部４と下部パネル部５に略区分けされている。
【００２２】
下部パネル部５は視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００２３】
また、上部パネル部４と下部パネル部５との間には、遊技者側に突出し、ゲーム操作を行うためのスイッチ類が配置されている操作卓７が一体的に形成されている。操作卓７の前記スイッチ類には、前記リール１０１ａ、１０１ｂ、１０１ｃの回転動作を操作するための操作手段も含まれている。
【００２４】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００２５】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００２６】
また、パネル面４１には、裏面側に設けられている図示しないランプを点灯させることで例えば入賞役への内部当選など遊技状態に関する情報を演出表示する遊技状態表示部４３と、複数の発光ダイオードを点灯させてドット画像を演出表示するドットマトリクス表示部４４、スロットマシン１にクレジット（貯留）されているメダル数や、入賞によって獲得したメダル数、又は入賞役への当選回数等の情報を数値表示する数値情報表示部４５が、それぞれ表示窓４２の周辺に設けられている。
【００２７】
上部パネル部４の上部には、高輝度発光ダイオード等のランプ類を内蔵する演出用照明部４６と、ゲームに係る効果音を発生させるスピーカを内蔵する左右の演出用放音部４７ａ、４７ｂがそれぞれ配置されている。
【００２８】
また、演出用放音部４７ａ、４７ｂの間には、透明な硬質プラスチック板等が嵌め込まれて形成された表示窓に面して液晶表示ユニット４８が配置されている。なお、液晶表示ユニット４８は、ゲームの演出に係る映像やゲーム（遊技）に関する情報を主に表示する。
【００２９】
上部パネル部４の側部には、蛍光灯や高輝度発光ダイオードで形成された演出用照明部４９ａ、４９ｂが設けられている。ゲームの進行に応じて上述した複数の演出用照明部４６、４９ａ、４９ｂ等が点灯又は点滅することで、ゲームにおける視覚的な演出効果を高めるように形成されている。
【００３０】
操作卓７の上面右側には、メダルを投入するための投入口を有するメダル投入部７１が設けられている。また、当該上面の左側には、押しボタンスイッチである２個のベットボタン７２、７３が設けられている。
【００３１】
ベットボタン７２、７３はスロットマシンの１ゲームに賭けるメダルの枚数を提示するためのボタンスイッチである。ゲームを開始する際に、ベットボタン７２が押圧操作されることで、貯留されているメダルから１枚のメダルがゲームに対して賭けられる。同様に、ベットボタン７３が押圧操作されることで３枚の当該ゲームにメダルが賭けられる。なお、ベットボタン７３は、最大枚数のメダルを賭けることから、特に「マックスベットボタン」と呼ばれている。
【００３２】
操作卓７の前面左側には、リール１０１ａ、１０１ｂ、１０１ｃの回転開始を指示するためのスタートレバー７４が設けられている。スタートレバー７４は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３３】
また、操作卓７の中央には、各リール１０１ａ、１０１ｂ、１０１ｃの回転停止をそれぞれ指示するためのストップボタン７５ａ、７５ｂ、７５ｃが各リールの配列に対応して並設されている。
【００３４】
操作卓７の前面右側には、前扉３を開錠するための鍵が挿入される鍵穴７６が設けられている。スロットマシン１の管理者等が鍵穴７６に所定の鍵を挿入して開錠操作すると、蝶番機構１２、１３（図２参照）によって筐体２に取り付けられている前扉３を前方へ開くことができ、また前扉３を筐体２側に閉じると、自動的にこれらを施錠するようになっている。
【００３５】
下部パネル部５には、スロットマシン１のモデルタイプを遊技者へ認識させる等のため、登場キャラクターの絵などを表示するパネル５１が設けられている。下部パネル部５の下側に配置された受皿ユニット６には、入賞時にメダルを排出するメダル払出口６１と、払い出されたメダルを貯留する受皿部６ａと、演出効果音を発生させるスピーカを内蔵する左右の演出用放音部６２ａ、６２ｂがそれぞれ配置されている。
【００３６】
次に、図２を参照して、筐体２の内部構造と前扉３の裏面構造とを説明する。同図において、筐体２の前面側には開口１１が形成されている。前扉３は、上下の蝶番１２、１３を介して前記筐体２の左側の枠に対して回動可能に取り付けられている。前扉３は、蝶番機構１２、１３を中心にして上から見て反時計回り回転させることで、前記開口１１を閉塞させることができる。
【００３７】
筐体２内の上部には、スロットマシン１の全体動作を集中制御するＣＰＵ（マイコン）を備え硬質プラスチックのケースに収納された主制御基板２０が取り付けられている。
【００３８】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３９】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００４０】
リールユニット１００の下方には、ホッパ装置２１と、ホッパ装置２１から溢れたメダルを収容するための補助貯留部２２と、主電源装置２３が設けられている。主電源装置２３の側面には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００４１】
次に、前扉３の裏面側上部には、演出用照明部４６の光源である高輝度の発光ダイオードを複数配列した発光駆動装置３１が取り付けられと共に、本実施形の要部である画像表示アッセンブリ３００が取り付けられている。
【００４２】
画像表示アッセンブリ３００は、前記液晶表示ユニット４８の左右両側に左右一対の取付補助部材３０１ａ、３０１ｂを取り付けたものである。取付補助部材３０１ａ、３０１ｂには、それぞれスピーカ３２ａ、３２ｂが取り付けられている。
【００４３】
スピーカ３２ａ、３２ｂは、それぞれ取付補助部材３０１ａ、３０１ｂを介して上述の演出用放音部４７ａ、４７ｂ（図１参照）にそれぞれ対向して配置している。更に、液晶表示ユニット４８の裏面側には、電気回路基板で形成され硬質プラスチックのケースに収納されたサブ制御基板５０が取り付けられている。
【００４４】
なお、スロットマシン１全体の動作は、筐体２側に設けられている主制御基板２０によって統括制御されており、サブ制御基板５０は、液晶表示ユニット４８による演出映像の表示制御、演出用照明部４６、４９ａ、４９ｂを使った照明制御、及び演出用放音部４７ａ、４７ｂ、６２ａ、６２ｂ（図１参照）を使った演出効果音制御など、ゲームの演出に係る制御を主に行っている。
【００４５】
サブ制御基板５０の下方には、リール１０１ａ、１０１ｂ、１０１ｃを目視させるための透明な表示窓４２が形成されたパネル板が配置され、表示窓４２の下方には、前面側のスタートレバー７４及びストップボタン７５ａ、７５ｂ、７５ｃ等の操作スイッチ類の出力信号を主制御基板２０へ転送する中継基板として機能する中央表示基板３３が設けられている。
【００４６】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４７】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂ（図１参照）に対向するスピーカ３８ａ、３８ｂが取り付けられている。
【００４８】
次に、図３のブロック図を参照して、スロットマシン１に設けられている制御システムについて説明する。
【００４９】
主制御基板２０は、ＣＰＵ２０１と、乱数発生装置２０２と、記憶部２０３と、タイマ２１２と、タイマ割込生成部２１３と、メダルクレジット手段２１４を備えている。
【００５０】
記憶部２０３は、ＲＯＭ、ＲＡＭ等の半導体メモリによって構成され、スロットマシンゲーム用のシステムプログラム２０４が予め記憶されている。主制御基板２０は、記憶部２０３に記憶されたシステムプログラム２０４に従ってＣＰＵ２０１が演算処理を実行することで、スロットマシン１全体の動作を統括制御している。
【００５１】
主制御基板２０には、ベットボタン７２、７３、スタートレバー７４、ストップボタン７５ａ、７５ｂ、７５ｃ等の操作スイッチ類、メダル選別装置３４のメダルセンサ３４ａ等の検出スイッチ類が配線ケーブルで接続されている。主制御基板２０は、前記スイッチ類からの出力信号によりゲームに係る操作を検出する。
【００５２】
主制御基板２０のメダルクレジット手段２１４は、メダル選別装置３４に投入されメダルセンサ３４ａにより検出されたメダルの枚数を、内部貯留しているメダルのクレジット数に加算する。
【００５３】
また、主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５４】
また、主制御基板２０には、ホッパ装置２１等のメダル払出装置、及びサブ制御基板５０がそれぞれ配線ケーブルによって接続されている。主制御基板２０は、入賞が確定した場合等において、ホッパ装置２１を制御することで、所定数のメダルを受皿部６ａ（図１参照）に払い出す。
【００５５】
サブ制御基板５０は、主制御基板２０からの制御信号に基づいて演出装置１４０（図２に示した液晶表示ユニット４８、スピーカ３２ａ、３２ｂ、３８ａ、３８ｂ、図１に示した演出用照明部４６、４９ａ、４９ｂ）を制御駆動することで、遊技者の視覚や聴覚に訴える演出をゲームの進行に応じて行っている。
【００５６】
また、主制御基板２０の記憶部２０３には、入賞抽選テーブル２０５及び内部抽選フラグ２０６が記憶されている。例えばＣＰＵ２０１は、スタートレバー７４が操作された時点で乱数発生装置２０２を起動して乱数値を取得し、入賞抽選テーブル２０５を参照することで、得られた乱数値に割り当てられた入賞役またはハズレを抽選する。そして、ＣＰＵ２０１は、乱数値に対応する入賞役が存在すると、それを当該ゲームの入賞役として抽選結果を当選にし、当該入賞役を記憶部２０３の内部抽選フラグ２０６に記憶する。ここでは、かかる入賞役の抽選方法を「内部抽選」と呼んでいる。
【００５７】
また、記憶部２０３には、図柄配列データ２０７、リール停止位置検索テーブル２０８、リール停止位置選択テーブル２０９等の書き換え不可の参照データテーブルが記憶され、更にリール停止コマフラグ２１０、リール制御フラグ２１１等の書き換え可能なデータフラグ用のメモリ領域が確保されている。これら参照データテーブル及びデータフラグは、リール１０１ａ、１０１ｂ、１０１ｃの回転及び停止制御の際に用いられる。
【００５８】
尚、タイマ２１２は、例えばリール１０１ａ、１０１ｂ、１０１ｃの自動停止制御を起動するまでの時間を計測する。タイマ割込生成部２１３は、各リール１０１ａ、１０１ｂ、１０１ｃのステッピングモータ１１０ａ、１１０ｂ、１１０ｃを制御するパルス信号（回胴駆動パルスデータ）の同期を取るためのものである。
【００５９】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を液晶表示ユニット４８によって遊技者に示唆するとともにゲーム操作を促す待機モードの演出が行われる。次に、遊技者がメダル投入部７１にメダルを投入し何れかのベットボタン７２、７３を押圧操作することで、スロットマシン１は、内部に貯留したメダル（クレジット）から当該ゲームに所定枚数のメダルが賭けられゲームを準備する。
【００６０】
ゲーム準備の状態でスタートレバー７４が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０６に記憶される。
【００６１】
次に、遊技者により何れかのストップボタン７５ａ、７５ｂ、７５ｃが押圧操作されることで、主制御基板２０がリール停止の操作を検出すると、主制御基板２０は、押圧操作されたストップボタンに対応するリールを停止させる制御を行う。そして、主制御基板２０は、全てのリール１０１ａ、１０１ｂ、１０１ｃが停止したことを検知すると、各リールが表示する図柄と上述の内部抽選フラグ２０６に対応する入賞役に係る図柄の組み合せとが一致しているかどうか判定する。
【００６２】
役への入賞が確定すると、スロットマシン１は、主制御基板２０の制御に基づいて、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００６３】
次に、図４乃至図９を参照して本実施形態の要部となる画像表示アッセンブリ３００及びその周辺部の構造について詳細に説明する。
【００６４】
図４は、画像表示アッセンブリ３００及びその周辺部の分解斜視図、図５は、取付補助部材３０１ａ、３０１ｂに液晶表示ユニット４８を取り付ける場合の作業を説明する説明図、図６は、取付補助部材３０１ａ、３０１ｂに液晶表示ユニット４８を取り付けた状態を示す説明図、図７は、画像表示アッセンブリ３００の背面図、図８は、取付補助部材３０１ｂと前記液晶表示ユニット４８の間の取り付け部を拡大して示す説明図、図９は、取付補助部材３０１ｂの掛止部３３８ｂ及びその周辺部を拡大して示す説明図である。尚、図４乃至図９を用いた説明において、各部材の左側及び右側はそれぞれスロットマシン１の前面側から見た場合を左側及び右側を示しており、背面側から見た図４乃至図８では、図面に向かって左側が各部材の右側になっている。
【００６５】
図４において、画像表示アッセンブリ３００は、スロットマシン１の上部パネル部４に形成された表示窓４０１に向けてその裏面側から取り付けられるようになっている。
【００６６】
画像表示アッセンブリ３００は、前記液晶表示ユニット４８の左右両側に左右一対の取付補助部材３０１ａ、３０１ｂを取り付けたものである。
【００６７】
取付補助部材３０１ａ、３０１ｂは、液晶表示ユニット４８の両側に装着され前記表示窓４０１の両辺にそれぞれ固定されることで当該液晶表示ユニット４８を前記上部パネル部４の裏面側に取り付ける。
【００６８】
以下、液晶表示ユニット４８についてさらに詳細に説明する。
液晶表示ユニット４８は、平板状の液晶表示モジュール３１１を矩形の枠体３１２に収容して組み立てられる。液晶表示モジュール３１１は、画像の表示を行う平板状の画像表示モジュールである。枠体３１２は、液晶表示モジュール３１１を支持する。
【００６９】
液晶表示ユニット４８は、枠体３１２の四隅近傍に設けたブラケット部３１３ａ、３１３ｂ、３１４ａ、３１４ｂを介して上部パネル部４に形成した表示窓４０１に向けてネジ３０３ａ、３０３ｂ、３０４ａ、３０４ｂにより取付補助部材３０１ａ、３０１ｂに取り付けられる。
【００７０】
液晶表示モジュール３１１は、表示窓４０１側から順に矩形板状の保護パネル３２１、液晶パネル３２２、偏光板３２３、バックライト３２４を備えている。
【００７１】
保護パネル３２１、液晶パネル３２２、偏光板３２３及びバックライト３２４は、外周が同径に形成され、重ね合わせた状態で、枠体３１２の内側にネジ止めによって取り付ける構造になっている。
【００７２】
バックライト３２４はその前面に複数の高輝度白色発光ダイオードをマトリクス状に配設したものである。バックライト３２４の左辺からは、サブ制御基板５０（図２参照）と接続する配線３２５が延出している。
【００７３】
偏光板３２３は、バックライト３２４からの照明光を所定の方向に偏光させる。
【００７４】
液晶パネル３２２は高分子分散液晶を２枚の電極基板間に挟み込んだものを用いている。液晶パネル３２２は、各画素にスイッチング素子としての薄膜トランジスタ（以下ＴＦＴと呼ぶ）が設けられ、ソース信号線とゲート信号線によって選択的にＴＦＴがオンオフすることで高分子分散液晶の向きを変え各画素に透過する光の偏光方向を変化させる。さらに液晶パネル３２２の前面には、図示しない偏光板が配置され、さらにその表側には、各画素に対応して赤、緑、青のカラーフィルタが配置されている。液晶パネル３２２の左辺からは、サブ制御基板５０と接続する配線３２６が延出している。
【００７５】
保護パネル３２１は、液晶パネル３２２の前面を保護するためのものであり、透明の硬質樹脂で形成されている。
【００７６】
一方、枠体３１２の左右側面には、それぞれ左右外方に延出する第1ブラケット部３１３ａ、３１３ｂと、該第1ブラケット部３１３ａ、３１３ｂから下方向に所定距離だけ離間して左右外方に延出する第２ブラケット部３１４ａ、３１４ｂとが設けられている。
【００７７】
第1ブラケット部３１３ａ、３１３ｂ（図８参照）は、それぞれネジ３０３ａ、３０３ｂのネジ部の先端が当接する当接面３１５ａ、３１５ｂ（図８参照）を有している。
【００７８】
第２ブラケット部３１４ａ、３１４ｂ（図８参照）は、それぞれネジ３０４ａ、３０４ｂのネジ部が挿入される貫通孔３１６ａ、３１６ｂ（図８参照）が形成されている。
【００７９】
枠体３１２の左側の側壁３３３には、バックライト３２４の配線３２５、液晶パネル３２２の配線３２６がそれぞれ挿入される切欠き３１８、３１９が形成されている。
【００８０】
以下、取付補助部材３０１ａ、３０１ｂについてさらに詳細に説明する。
取付補助部材３０１ａ、３０１ｂは、合成樹脂等を縦長の板状に形成したものである。
【００８１】
前記取付補助部材３０１ａ、３０１ｂは、下辺、液晶パネル３２２側となる一方の側辺が直線で形成され、上辺、画像表示アッセンブリ３００の外側となる他方の側辺の間が湾曲して形成されている。
【００８２】
前記取付補助部材３０１ａ、３０１ｂの下辺、上辺、他方の側辺の縁部には、後方に突出する段部３３１ａ、３３１ｂがそれぞれ形成されている。
【００８３】
取付補助部材３０１ａ、３０１ｂの上辺の段部３３１ａ、３３１ｂの外周には、ブラケット部３３２ａ、３３２ｂが形成されている。
【００８４】
取付補助部材３０１ａ、３０１ｂの他方の側辺の段部３３１ａ、３３１ｂの外周には、ブラケット部３３３ａ、３３３ｂが形成されている。
【００８５】
ブラケット部３３２ａ、３３２ｂ、３３３ａ、３３３ｂ（図８参照）には、ネジ３０５ａ、３０５ｂ、３０６ａ、３０６ｂのネジ部がそれぞれ挿入される貫通孔３３４ａ、３３４ｂ、３３５ａ、３３５ｂ（図８参照）がそれぞれ形成されている。
【００８６】
取付補助部材３０１ａ、３０１ｂの後面中央には、それぞれスピーカ３２ａ、３２ｂ（図２参照）がネジ止めにより取り付けられるスピーカ取り付け部３３６ａ、３３６ｂ（図８参照）が後方に突出してそれぞれ形成されている。
【００８７】
スピーカ取り付け部３３６ａ、３３６ｂには、それぞれスピーカ３２ａ、３２ｂ（図２参照）からの音を通過させるための貫通部３３７ａ、３３７ｂ（図８参照）が形成されている。
【００８８】
スピーカ取り付け部３３６ａ、３３６ｂの上側には、前記画像表示ユニット４８の第1ブラケット部３３２ａ、３３２ｂを掛止する断面Ｌ字形状の掛止部３３８ａ、３３８ｂ（図８及び図９参照）がそれぞれ形成されている。掛止部３３８ａ、３３８ｂには後方突出してネジ取り付け部３３９ａ、３３９ｂ（図８及び図９参照）がそれぞれ形成されている。ネジ取り付け部３３９ａ、３３９ｂには、ネジ３０３ａ、３０３ｂのネジ部が螺入されるネジ孔３４０ａ、３４０ｂ（図８及び図９参照）がそれぞれ形成されている。
【００８９】
スピーカ取り付け部３３６ａ、３３６ｂの下側には、前記画像表示ユニット４８の第２ブラケット部３１４ａ、３１４ｂを固着する固着手段としてのネジ止め部３４２ａ、３４２ｂ（図８参照）が突出して形成されている。ネジ止め部３４２ａ、３４２ｂには、ネジ３０３ａ、３０３ｂのネジ部が螺入されるネジ穴３４３ａ、３４３ｂ（図８参照）が形成されている。
【００９０】
スロットマシン１の上部パネル部４には、前記表示窓４０１の前側から見て左側及び右側が演出用放音部４７ａ、４７ｂとなっている。
【００９１】
演出用放音部４７ａには、スピーカ３２ａ（図２参照）からの出力音を通過させるためのスロット４０２ａが複数形成されている。演出用放音部４７ｂには、スピーカ３２ｂ（図２参照）からの出力音を通過させるためのスロット４０２ｂが複数形成されている。
【００９２】
上部パネル部４の裏面の演出用放音部４７ａ、４７ｂの上側には、それぞれネジ止め部４０３ａ、４０３ｂが後方に突出して形成されている。ネジ止め部４０３ａ、４０３ｂには、ネジ３０５ａ、３０５ｂのネジ部が螺入されるネジ穴４０４ａ、４０４ｂが形成されている。
【００９３】
上部パネル部４の裏面の演出用放音部４７ａの左側には、ネジ止め部４０５ａが突出して形成されている。ネジ止め部４０５ａには、ネジ３０６ａのネジ部が螺入されるネジ穴４０６ａが形成されている。
【００９４】
上部パネル部４の裏面の演出用放音部４７ａの右側には、ネジ止め部４０５ｂが突出して形成されている。ネジ止め部４０５ｂには、ネジ３０６ｂのネジ部が螺入されるネジ穴４０６ｂが形成されている。
【００９５】
ネジ３０５ａ、３０５ｂ、３０６ａ、３０６ｂは、それぞれのネジ部がブラケット部３３２ａ、３３２ｂ、３３３ａ、３３３ｂの貫通孔３３４ａ、３３４ｂ、３３５ａ、３３５ｂにそれぞれ挿入し、ネジ止め部４０３ａ、４０３ｂ、４０５ａ、４０５ｂのネジ穴４０４ａ、４０４ｂ、４０６ａ、４０６ｂにそれぞれ螺入することで、取付補助部材３０１ａ、３０１ｂを上部パネル部４の裏面に取り付けている。
【００９６】
ネジ３０３ａ、３０３ｂは、それぞれのネジ部がネジ取り付け部３３９ａ、３３９ｂのネジ孔３４０ａ、３４０ｂにそれぞれ螺入し、掛止部３３８ａ、３３８ｂにそれぞれ掛止された第1ブラケット部３１３ａ、３１３ｂの当接面３１５ａ、３１５ｂをそれぞれ押圧することで、第1ブラケット部３１３ａ、３１３ｂを取付補助部材３０１ａ、３０１ｂの本体側に壁面に圧着させて、掛止部３３８ａ、３３８ｂに第1ブラケット部３１３ａ、３１３ｂをネジ止め固定する。
【００９７】
ネジ３０４ａ、３０４ｂは、それぞれのネジ部が第２ブラケット部３１４ａ、３１４ｂの貫通孔３１６ａ、３１６ｂに挿入し、ネジ止め部３４２ａ、３４２ｂのネジ穴３４３ａ、３４３ｂにそれぞれ螺入することで、ネジ止め部３４２ａ、３４２ｂに第２ブラケット部３１４ａ、３１４ｂをネジ止め固定する。
【００９８】
以下、上部パネル部４への画像表示アッセンブリ３００の取り付け方法について説明する。
【００９９】
図４において、上部パネル部４への画像表示アッセンブリ３００の取り付ける場合、まず、取付補助部材３０１ａ、３０１ｂを上部パネル部４の裏面の表示窓４０１の左右両側の位置に、ネジ３０５ａ、３０５ｂ、３０６ａ、３０６ｂを用いてネジ止め固定することで、図５の状態にする。
【０１００】
次に、取付補助部材３０１ａ、３０１ｂの掛止部３３８ａ、３３８ｂに液晶表示ユニット４８の第1ブラケット部３１３ａ、３１３ｂをそれぞれ掛止させることで、液晶表示ユニット４８の画面を表示窓４０１に向けて、液晶表示ユニット４８を取付補助部材３０１ａ、３０１ｂに掛止状態で取り付ける。次に、ネジ３０４ａ、３０４ｂのネジ部を、第２ブラケット部３１４ａ、３１４ｂの貫通孔３１６ａ、３１６ｂに挿入し、ネジ止め部３４２ａ、３４２ｂのネジ穴３４３ａ、３４３ｂに螺入することで、取付補助部材３０１ａ、３０１ｂのネジ止め部３４２ａ、３４２ｂに液晶表示ユニット４８の第２ブラケット部３１４ａ、３１４ｂをそれぞれネジ止め固定する。
【０１０１】
次に、ネジ３０３ａ、３０３ｂのネジ部を、取付補助部材３０１ａ、３０１ｂのネジ取り付け部３３９ａ、３３９ｂのネジ孔３４０ａ、３４０ｂに螺入し、ネジ３０３ａ、３０３ｂのネジ部の先端を掛止部３３８ａ、３３８ｂに掛止された第1ブラケット部３１３ａ、３１３ｂの当接面３１５ａ、３１５ｂに押圧させることで、掛止部３３８ａ、３３８ｂに第1ブラケット部３１３ａ、３１３ｂをネジ止め固定し、図６及び図７に示すように取付補助部材３０１ａ、３０１ｂに液晶表示ユニット４８をネジ止め固定し画像表示アッセンブリ３００を組み立てた状態にする。
【０１０２】
画像表示アッセンブリ３００を組み立てた状態において、図９に示すように右側の第1ブラケット部３１３ｂは、ネジ取り付け部３３９ｂのネジ孔３４０ｂに螺入され、掛止部３３８ｂの内側に突出したネジ３０３ｂのネジ部の先端により押圧され、取付補助部材３０１ｂの本体側に壁面３４１ｂに圧着されて固定される。これにより、ネジ取り付け部３３９ｂとネジ３０３ｂは、前記取付補助部材３０１ｂの掛止部３３８ｂに設けられ、当該第1ブラケット部３１３ｂを取付補助部材３０１ｂの本体側に圧着して固定する圧着手段となっている。
【０１０３】
このような取付補助部材と第1ブラケット部の固定構造は、左側の取付補助部材３０１ａと第1ブラケット部３１３ａにおいても同様である。
【０１０４】
かかる構成の画像表示アッセンブリ３００によれば、前記上部パネル部４にそれぞれ単体の部品の状態である一対の取付補助部材３０１ａ、３０１ｂを固定してから、液晶表示ユニット４８を一対の取付補助部材３０１ａ、３０１ｂに固定して、画像表示アッセンブリ３００を組み立てた状態にすることができる。ここで、図１２に示したような上部パネル部に液晶表示ユニットに直接取り付ける構造の場合、上部パネル部に成型するネジ止め部の構造に金型成型上の制約が加わり、ネジ止め部をあまり突出させることができないことや、掛止部３３８ａ、３３８ｂのような形状を形成するのが困難である等の問題がある。一方、本実施形態の画像表示アッセンブリ３００では、取付補助部材３０１ａ、３０１ｂが別体であるため、金型成型上の制約が少なく、液晶表示ユニット４８を固定するネジ止め部３４２ａ、３４２ｂや掛止部３３８ａ、３３８ｂの形状の自由度を高く、ネジ止め部３４２ａ、３４２ｂや掛止部３３８ａ、３３８ｂの形状をネジ止め作業に適した形状（例えばネジ止め部３４２ａ、３４２ｂを作業者の側に大きく突出させる）にすることができる。これにより、画像表示アッセンブリ３００による画像表示装置をコンパクト化し、また周辺機器やその他配線等との干渉をできるだけ無くすことができるので、大型画面を採用した場合にも遊技機の筐体内への取り付けを容易に行える。
【０１０５】
また、画像表示アッセンブリ３００によれば、前記取付補助部材３０１ａ、３０１ｂに設けられた断面Ｌ字形状の掛止部３３８ａ、３３８ｂに、前記画像表示ユニット４８の第1ブラケット部３１３ａ、３１３ｂに掛止することで、前記掛止部３３８ａ、３３８ｂに前記画像表示ユニット４８を仮固定し、この後、前記取付補助部材３０１ａ、３０１ｂに設けられた固着手段としてのネジ止め部３４２ａ、３４２ｂに第２ブラケット部３１４ａ、３１４ｂを固着することができるので、前記取付補助部材３０１ａ、３０１ｂに画像表示ユニット４８を固定する作業を容易に行える。
【０１０６】
さらに、第1ブラケット部３１３ａ、３１３ｂは、ネジ取り付け部３３９ａ、３３９ｂのネジ孔３４０ａ、３４０ｂに螺入されたネジ３０３ａ、３０３ｂのネジ部の先端により押圧され、取付補助部材３０１ａ、３０１ｂの本体側に壁面に圧着されて固定されるので、取付補助部材３０１ａ、３０１ｂに画像表示ユニット４８をより強固に固定することができる。
【０１０７】
尚、本実施形態では、上側の第1ブラケット部３１３ａ、３１３ｂを断面Ｌ字形状の掛止部３３８ａ、３３８ｂに掛止し、下側の第２ブラケット部３１４ａ、３１４ｂにネジを挿入してネジ止め部３４２ａ、３４２ｂに固着する構造としたが、画像表示ユニット４８の下側に設けたブラケット部を取付補助部材の下側に形成した断面Ｌ字形状の掛止部に掛止し、画像表示ユニット４８の上側に設けたブラケット部を取付補助部材の上側のネジ止め部に固着する構造としてもよい。
【０１０８】
以下、本発明に係る遊技機の好適な他の実施形態をスロットマシンの画像表示アッセンブリを例に図面を参照して説明する。なお、図１０は、他の実施形態の画像表示アッセンブリ５００を分解した状態の背面図、図１１は、他の実施形態の画像表示アッセンブリ５００を組み立てた状態の背面図である。尚、図１乃至図９に示した実施形態と同様の構成要素には同じ符号を付けて説明を省略する。
【０１０９】
図１０において、画像表示アッセンブリ５００は、スロットマシンの上部パネル部４（図１１参照）に形成された表示窓に向けてその裏面側から取り付けられるようになっている。
【０１１０】
画像表示アッセンブリ５００は、前記液晶表示ユニット６００の左右両側に左右一対の取付補助部材５０１ａ、５０１ｂを取り付けたものである。
【０１１１】
液晶表示ユニット６００は、画像の表示を行う液晶表示モジュール３１１とそれを支持する矩形の枠体５１２とから組み立てられ、枠体３１２の四隅近傍に設けたブラケット部５１３ａ、５１３ｂ、３１４ａ、３１４ｂを介して上部パネル部に形成した表示窓に向けてネジ５０３ａ、５０３ｂ、３０４ａ、３０４ｂ（図１１参照）により取付補助部材５０１ａ、５０１ｂに取り付けられる。
【０１１２】
次に、枠体３１２のブラケット部５１３ａ、５１３ｂ、３１４ａ、３１４ｂについて更に詳細に説明する。
【０１１３】
ブラケット部５１３ａ、５１３ｂ、３１４ａ、３１４ｂは、それぞれネジ５０３ａ、５０３ｂ、３０４ａ、３０４ｂ（図１１参照）のネジ部が挿入される貫通孔５１５ａ、５１５ｂ、３１６ａ、３１６ｂがそれぞれ形成されている。
【０１１４】
取付補助部材５０１ａ、５０１ｂについて更に詳細に説明する。
【０１１５】
取付補助部材５０１ａ、５０１ｂのスピーカ取り付け部３３６ａ、３３６ｂの上側には、前記液晶表示ユニット６００の第１ブラケット部５１３ａ、５１３ｂを固着する固着手段としてのネジ止め部５３９ａ、５３９ｂが突出して形成されている。
【０１１６】
取付補助部材５０１ａ、５０１ｂのスピーカ取り付け部３３６ａ、３３６ｂの下側には、前記液晶表示ユニット６００の第２ブラケット部３１４ａ、３１４ｂを固着する固着手段としてのネジ止め部３４２ａ、３４２ｂが突出して形成されている。
【０１１７】
ネジ止め部５３９ａ、５３９ｂ、３４２ａ、３４２ｂには、それぞれネジ５０３ａ、５０３ｂ、３０４ａ、３０４ｂ（図１１参照）のネジ部が螺入されるネジ穴５４０ａ、５４０ｂ、３４３ａ、３４３ｂがそれぞれ形成されている。
【０１１８】
ネジ５０３ａ、５０３ｂ、３０４ａ、３０４ｂ（図１１参照）は、そのネジ部がブラケット部５１３ａ、５１３ｂ、３１４ａ、３１４ｂの貫通孔５１５ａ、５１５ｂ、３１６ａ、３１６ｂに挿入し、ネジ止め部５３９ａ、５３９ｂ、３４２ａ、３４２ｂのネジ穴５４０ａ、５４０ｂ、３４３ａ、３４３ｂに螺入することで、ネジ止め部５３９ａ、５３９ｂ、３４２ａ、３４２ｂに液晶表示ユニット６００のブラケット部５１３ａ、５１３ｂ、３１４ａ、３１４ｂをネジ止め固定する。これにより、図１１に示すように上部パネル部４に固定された取付補助部材５０１ａ、５０１ｂに液晶表示ユニット６００をネジ止め固定することができる。
【０１１９】
かかる構成の画像表示アッセンブリ５００によれば、上部パネル部４にそれぞれ単体の部品の状態である一対の取付補助部材５０１ａ、５０１ｂを固定してから、液晶表示ユニット６００を一対の取付補助部材５０１ａ、５０１ｂに固定して、画像表示アッセンブリ５００を組み立てた状態にすることができるので、図１乃至図９に示した実施形態と同様に、画像表示アッセンブリ５００による画像表示装置をコンパクト化し、また周辺機器やその他配線等との干渉をできるだけ無くすことができるので、大型画面を採用した場合にも遊技機の筐体内への取り付けを容易に行える。
【０１２０】
尚、もう一つの他の実施形態として、図１乃至図１１に示した取付補助部材には、前記画像表示ユニットを駆動するためのハーネスを配線してもよい。このような構造を用いることにより、画像表示装置をさらにコンパクト化し、また周辺機器やその他配線等との干渉をさらに無くすことができる。
【０１２１】
また、図１乃至図１１に示した実施形態では、平板状の画像表示モジュールを矩形枠体に収容して組み立てられる画像表示ユニットとして液晶表示ユニットを用いたが、他の画像表示ユニット、例えばプラズマディスプレイユニットを用いることも可能である。
【産業上の利用可能性】
【０１２２】
本発明は、スロットマシンに限らず、画像を表示するパチンコ機等その他の遊技機にも応用することができる。
【図面の簡単な説明】
【０１２３】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態による画像表示アッセンブリ及びその周辺部の分解斜視図である。
【図５】図５は、本発明の一実施形態による取付補助部材に液晶表示ユニットを取り付ける場合の作業を説明する説明図である。
【図６】図６は、本発明の一実施形態による取付補助部材に前記液晶表示ユニットを取り付けた状態を示す説明図である。
【図７】図７は、本発明の一実施形態による画像表示アッセンブリの背面図である。
【図８】図８は、本発明の一実施形態による取付補助部材と前記液晶表示ユニットの間の取り付け部を拡大して示す説明図である。
【図９】図９は、本発明の一実施形態による取付補助部材の掛止部及びその周辺部を拡大して示す説明図である。
【図１０】図１０は、本発明の他の実施形態による画像表示アッセンブリを分解した状態の背面図である。
【図１１】図１１は、本発明の他の実施形態による画像表示アッセンブリを組み立てた状態の背面図である。
【図１２】図１２は、従来の液晶表示ユニットの取付構造を例示する斜視図である。
【符号の説明】
【０１２４】
１…スロットマシン、  ２…筐体、  ３…前扉、  ４…上部パネル部、
５…下部パネル部、  ６…受皿ユニット、  ６ａ…受皿部、  ７…操作卓、
１１…開口、１２、１３…蝶番機構、２０…主制御基板、  
２１…ホッパ装置、  ２２…補助貯留部、２３…主電源装置、
２４…電源装置基板、  ２５…外部集中端子基板、
３１…発光駆動装置、３２ａ、３２ｂ…スピーカ、
３３…中央表示基板、３４…メダル選別装置、３５…ガイド部材、
３６…ガイド部材、３７…ガイド部材、
３８ａ、３８ｂ…スピーカ、４１…パネル面、  ４２…表示窓、
４３…遊技状態表示部、４４…ドットマトリクス表示部、
４５…数値情報表示部、４６…演出用照明部、
４７ａ、４７ｂ…演出用放音部、４８…液晶表示ユニット、
４９ａ、４９ｂ…演出用照明部、５０…サブ制御基板、
５１…パネル、６１…メダル払出口、  
６２…演出用放音部、７１…メダル投入部、
７２、７３…ベットボタン、７４…スタートレバー、
７５ａ、７５ｂ、７５ｃ…ストップボタン、７６…鍵穴、
１００…リールユニット、１０１ａ、１０１ｂ、１０１ｃ…リール、
１１０ａ、１１０ｂ、１１０ｃ…ステッピングモータ、
１２０ａ、１２０ｂ、１２０ｃ…基準位置センサ、
１３０…回胴装置基板、１４０…演出装置、
２０１…ＣＰＵ、２０２…乱数発生装置、２０３…記憶部、
２０４…システムプログラム、２０５…入賞抽選テーブル、
２０６…内部抽選フラグ、２０７…図柄配列データ、
２０８…リール停止位置検索テーブル、
２０９…リール停止位置選択テーブル、
２１０…リール停止コマフラグ、２１１…リール制御フラグ、
２１２…タイマ、２１３…タイマ割込生成部、
２１４…メダルクレジット手段、
３００…画像表示アッセンブリ、３０１ａ、３０１ｂ…取付補助部材、
３０３ａ、３０３ｂ、３０４ａ、３０４ｂ…ネジ、
３１１…液晶表示モジュール、３１２…枠体、
３１３ａ、３１３ｂ…第1ブラケット部、
３１４ａ、３１４ｂ…第２ブラケット部、
３１５ａ、３１５ｂ…当接面、
３１６ａ、３１６ｂ…貫通孔、３１８、３１９…切欠き、
３２１…保護パネル、３２２…液晶パネル、
３２３…偏光板、３２４…バックライト、
３２５…、３２６…配線、３３１ａ、３３１ｂ…段部、
３３３…側壁、
３３４ａ、３３４ｂ、３３５ａ、３３５ｂ…貫通孔、
３３６ａ、３３６ｂ…スピーカ取り付け部、
３３７ａ、３３７ｂ…貫通部、
３３８ａ、３３８ｂ…掛止部、
３３９ａ、３３９ｂ…ネジ取り付け部、
３４０ａ、３４０ｂ…ネジ孔、３４１ｂ…壁面、
３４２ａ、３４２ｂ…ネジ止め部、
３４３ａ、３４３ｂ…ネジ穴、４０１…表示窓、
４０２ａ、４０２ｂ…スロット、
４０３ａ、４０３ｂ…ネジ止め部、４０４ａ、４０４ｂ…ネジ穴、
４０５ａ、４０５ｂ…ネジ止め部、４０６ａ、４０６ｂ…ネジ穴、
５００…画像表示アッセンブリ、
５０１ａ、５０１ｂ…取付補助部材、６００…液晶表示ユニット、
５１２…枠体、５１３ａ、５１３ｂ…ブラケット部、
５０３ａ、５０３ｂ…ネジ、５１５ａ、５１５ｂ…貫通孔、
５３９ａ、５３９ｂ…ネジ止め部、５４０ａ、５４０ｂ…ネジ穴
【図１】
2006263232.tif 000003
【図２】
2006263232.tif 000004
【図３】
2006263232.tif 000005
【図４】
2006263232.tif 000006
【図５】
2006263232.tif 000007
【図６】
2006263232.tif 000008
【図７】
2006263232.tif 000009
【図８】
2006263232.tif 000010
【図９】
2006263232.tif 000011
【図１０】
2006263232.tif 000012
【図１１】
2006263232.tif 000013
【図１２】
2006263232.tif 000014